(57)【要約】【課題】複数の被写体の撮影を行う場合に、撮影を行うべき被写体と当該被写体の撮影に係る参照画像とを対応付けて、操作性を向上させた画面表示を行えるようにする。【解決手段】被写体ごとに、当該被写体の撮影画像を含む検査情報および当該検査情報を選択するための選択部３１ａ〜３１ｃを表示画面に表示する。その後、参照画像読み出しボタン３６が押下された場合に、選択部が選択された被写体（鈴木花子）の撮影に係る参照画像を読み出して、表示画面に、読み出した参照画像を含む参照画像情報３９−２および当該参照画像情報を選択するための参照画像選択部３１ｄを表示する。その際、参照画像選択部３１ｄを、選択された選択部３１ｂに隣接して表示する。【選択図】図５
2010022653.tif 000002
【特許請求の範囲】
【請求項１】
撮影装置を用いて撮影された複数の被写体における撮影画像の表示制御を行う画像表示制御装置であって、
前記撮影装置から撮影画像を取り込む処理を行う取り込み処理手段と、
前記被写体ごとに、前記取り込み処理手段によって取り込んだ当該被写体の撮影画像を含む検査情報および当該検査情報を選択するためのものであって当該被写体の識別情報が付された選択部を表示する制御を行う表示制御手段と、
画像保持手段に保持されている過去画像の中から、前記選択部が選択された被写体の撮影に係る過去画像を参照画像として読み出す読み出し手段と
を有し、
前記表示制御手段は、前記読み出し手段によって読み出される参照画像を含む参照画像情報および当該参照画像情報を選択するためのものであって前記選択部が選択された被写体の識別情報が付された参照画像選択部を、選択された前記選択部に隣接して表示することを特徴とする画像表示制御装置。
【請求項２】
撮影装置を用いて撮影された複数の被写体における撮影画像の表示制御を行う画像表示制御装置であって、
前記撮影装置から撮影画像を取り込む処理を行う取り込み処理手段と、
前記被写体ごとに、前記取り込み処理手段によって取り込んだ当該被写体の撮影画像を含む検査情報および当該検査情報を選択するためのものであって当該被写体の識別情報が付された選択部を表示する制御を行う表示制御手段と、
画像保持手段に保持されている過去画像の中から、前記選択部が選択された被写体の撮影に係る過去画像を参照画像として読み出す読み出し手段と
を有し、
前記表示制御手段は、前記読み出し手段によって読み出される参照画像を含む参照画像情報および当該参照画像情報を選択するためのものであって前記選択部が選択された被写体の識別情報が付された参照画像選択部を表示する制御を行い、前記選択された選択部とは異なる選択部の選択を不能とすることを特徴とする画像表示制御装置。
【請求項３】
撮影装置を用いて撮影された複数の被写体における撮影画像の表示制御を行う画像表示制御装置であって、
前記撮影装置から撮影画像を取り込む処理を行う取り込み処理手段と、
前記被写体ごとに、前記取り込み処理手段によって取り込んだ当該被写体の撮影画像を含む検査情報および当該検査情報を選択するためのものであって当該被写体の識別情報が付された選択部を表示する制御を行う表示制御手段と、
画像保持手段に保持されている過去画像の中から、前記選択部が選択された被写体の撮影に係る過去画像を参照画像として読み出す読み出し手段と
を有し、
前記表示制御手段は、前記読み出し手段で読み出した参照画像を含む参照画像情報および当該参照画像情報を選択するためのものであって前記選択部が選択された被写体の識別情報が付された参照画像選択部を、選択された前記選択部に隣接して表示するとともに、前記選択された選択部とは異なる選択部の選択を不能とすることを特徴とする画像表示制御装置。
【請求項４】
前記表示制御手段は、前記参照画像選択部が選択された後、再び、前記選択された選択部が選択された場合、選択を不能にしていた選択部を選択可能とすることを特徴とする請求項２又は３に記載の画像表示制御装置。
【請求項５】
前記表示制御手段は、前記選択された選択部および前記参照画像選択部を、他の選択部よりも大きな形状で表示することを特徴とする請求項１乃至４のいずれか１項に記載の画像表示制御装置。
【請求項６】
前記表示制御手段は、前記選択された選択部および前記参照画像選択部を、他の選択部と異なる色で表示することを特徴とする請求項１乃至４のいずれか１項に記載の画像表示制御装置。
【請求項７】
前記検査情報は、前記被写体の撮影を遂行するためのものであり、
前記表示制御手段は、前記選択された選択部に係る被写体の撮影が終了した場合に、当該被写体における前記検査情報および当該選択された選択部、並びに、当該被写体における前記参照画像情報および前記参照画像選択部を削除することを特徴とする請求項１乃至６のいずれか１項に記載の画像表示制御装置。
【請求項８】
前記参照画像情報は、前記選択部が選択された被写体の撮影に係る過去画像を含むものが１つだけ表示されることを特徴とする請求項１乃至７のいずれか１項に記載の画像表示制御装置。
【請求項９】
前記選択部および前記参照画像選択部は、タブで構成されていることを特徴とする請求項１乃至８のいずれか１項に記載の画像表示制御装置。
【請求項１０】
撮影装置を用いて撮影された複数の被写体における撮影画像の表示制御を行う画像表示制御装置による画像表示制御方法であって、
前記撮影装置から前記撮影画像を取り込む処理を行う取り込み処理ステップと、
前記被写体ごとに、前記取り込み処理ステップで取り込まれた当該被写体の撮影画像を含む検査情報および当該検査情報を選択するためのものであって当該被写体の識別情報が付された選択部を表示手段に表示する制御を行う第１の表示制御ステップと、
前記取り込み処理ステップで取り込まれた撮影画像であって過去に撮影された過去画像を保持する画像保持手段から、前記選択部が選択された被写体の撮影に係る過去画像を参照画像として読み出す読み出しステップと、
前記読み出しステップで読み出された参照画像を含む参照画像情報および当該参照画像情報を選択するためのものであって前記選択部が選択された被写体の識別情報が付された参照画像選択部を、選択された前記選択部に隣接して表示する制御を行う第２の表示制御ステップと
を有することを特徴とする画像表示制御方法。
【請求項１１】
撮影装置を用いて撮影された複数の被写体における撮影画像の表示制御を行う画像表示制御装置による画像表示制御方法であって、
前記撮影装置から前記撮影画像を取り込む処理を行う取り込み処理ステップと、
前記被写体ごとに、前記取り込み処理ステップで取り込まれた当該被写体の撮影画像を含む検査情報および当該検査情報を選択するためのものであって当該被写体の識別情報が付された選択部を表示手段に表示する制御を行う第１の表示制御ステップと、
前記取り込み処理ステップで取り込まれた撮影画像であって過去に撮影された過去画像を保持する画像保持手段から、前記選択部が選択された被写体の撮影に係る過去画像を参照画像として読み出す読み出しステップと、
前記読み出しステップで読み出された参照画像を含む参照画像情報および当該参照画像情報を選択するためのものであって前記選択部が選択された被写体の識別情報が付された参照画像選択部を表示する制御を行い、前記選択された選択部とは異なる選択部の選択を不能とする制御を行う第２の表示制御ステップと
を有することを特徴とする画像表示制御方法。
【請求項１２】
撮影装置を用いて撮影された複数の被写体における撮影画像の表示制御を行う画像表示制御装置による画像表示制御方法であって、
前記撮影装置から前記撮影画像を取り込む処理を行う取り込み処理ステップと、
前記被写体ごとに、前記取り込み処理ステップで取り込まれた当該被写体の撮影画像を含む検査情報および当該検査情報を選択するためのものであって当該被写体の識別情報が付された選択部を表示手段に表示する制御を行う第１の表示制御ステップと、
前記取り込み処理ステップで取り込まれた撮影画像であって過去に撮影された過去画像を保持する画像保持手段から、前記選択部が選択された被写体の撮影に係る過去画像を参照画像として読み出す読み出しステップと、
前記読み出しステップで読み出された参照画像を含む参照画像情報および当該参照画像情報を選択するためのものであって前記選択部が選択された被写体の識別情報が付された参照画像選択部を、選択された前記選択部に隣接して表示するとともに、前記選択された選択部とは異なる選択部の選択を不能とする制御を行う第２の表示制御ステップと
を有することを特徴とする画像表示制御方法。
【請求項１３】
請求項１０乃至１２のいずれか１項に記載の画像表示制御方法をコンピュータに実行させるためのプログラム。
【請求項１４】
請求項１３に記載のプログラムを記憶したことを特徴とするコンピュータ読み取り可能な記憶媒体。
【発明の詳細な説明】
【技術分野】
【０００１】
本発明は、撮影装置を用いて撮影された複数の被写体における撮影画像の表示制御を行う画像表示制御装置及び画像表示制御方法、当該画像表示制御方法をコンピュータに実行させるためのプログラム、並びに、コンピュータ読み取り可能な記憶媒体に関する。
【背景技術】
【０００２】
医療診断を目的としたＸ線画像撮影システムとしては、Ｘ線検出部に増感紙とフィルムを組み合わせたＸ線写真方式に代わって、Ｘ線画像をディジタル的に検出・生成する手法が最近普及してきている。代表的な方式の１つに、Ｘ線検出部にフラットパネルセンサを使ったＸ線画像取得方法がある。この場合、Ｘ線検出部には、Ｘ線に対して感度を持ち、検出したＸ線の強度に応じた電気信号に変換して出力する固体撮像素子が利用される。或いは、Ｘ線のエネルギーに応じた強度の蛍光（可視光）を発する蛍光体と、可視光に感度を持ち、その強度に応じた電気信号に変換する光電変換素子とを組み合わせたユニットが利用される。そして、これらの固体撮像素子やユニットからのアナログ信号をＡ／Ｄ変換によってディジタル化してＸ線画像を取得する方法である。
【０００３】
このようなディジタルＸ線画像撮影システムは、Ｘ線の透過線量に応じた電気量を検出してディジタル量に変換する検出デバイスを含む撮影装置と、この撮影装置とＸ線発生装置を制御するための制御装置とを有して構成される。操作者である技師は、被写体である患者を整位した後で、Ｘ線発生装置の管電流、管電圧、Ｘ線照射時間、絞りの大きさなどの撮影条件を設定して、患者に対してＸ線の曝射を行う。これにより、撮影装置においてＸ線画像が生成される。さらに、制御装置において、取り込んだＸ線画像に、各種の補正処理や画像処理が施され、医師が診断するためのディジタルＸ線画像が生成される。そして、生成されたディジタルＸ線画像は、必要に応じて、プリンターからフィルムに出力されたり、ストレージに送られた後にモニターに表示されたりして、診断が行われる。
【０００４】
ここで、医師が診断するための適切な診断画像を得るためには、適切な撮影条件を設定して、かつ適切な画像処理を行うことが必要となってくる。そのため、従来、その患者の過去画像と撮影パラメータを呼び出して、呼び出した撮影パラメータで撮影を行うことが行われている（例えば、下記の特許文献１参照）。
【０００５】
また、部位ごとのお手本となる参考画像データベースから、撮影を行う部位の参考画像を読み出して、撮影パラメータや画像処理パラメータを参考にしたり、画像を比較したりする要望がある。このように、撮影中に、過去画像や参考画像などの参照画像を呼び出すことがよく行われる。
【０００６】
さらに、最近では、ＥＲ（救急救命室）、ＩＣＵ（集中治療室）において、その緊急性のために、撮影対象の患者を保留にした状態で別の患者の撮影を行う、複数の患者の同時撮影が行われている。従来、ある患者の検査（撮影）を保留状態にして他の患者に対して検査を行うようにした撮影システムがある（例えば、下記の特許文献２参照）。この撮影システムでは、画面上の保留ボタンを押下することで、その患者の検査が保留状態となり、予約受付リスト画面に保留ステータスで表示される。
【０００７】
【特許文献１】特開２００５−１１０８４４号公報
【特許文献２】特開２００３−２４５２７０号公報
【発明の開示】
【発明が解決しようとする課題】
【０００８】
しかしながら、特許文献１の技術では、ある患者の検査（撮影）を保留状態にして他の患者に対して検査を行うようにする複数の患者の同時撮影を行えるものではなかった。また、特許文献２の技術では、複数の患者の同時撮影を行う技術が示されているが、過去の画像を参照する方法については示されていない。
【０００９】
このように、従来の技術においては、複数の患者の同時撮影を行う際に、撮影を行うべき患者（被写体）と当該患者の撮影に係る参照画像とを対応付けて、操作性よく表示を行うことが課題となっていた。
【００１０】
また、特許文献２では、再度、検査を開始する場合は、予約受付リスト画面から患者を選択しなければならず、煩わしい。このため、例えば、図１４に示す表示画面１４００のように、患者ごとにタブ１４０１〜１４０３をつけて、そのタブを切り替えることで検査（撮影）する患者を切り替えるアプリケーションが考えられる。また、図１４に示す表示画面では、患者名が鈴木花子であるタブ１４０２が選択されている様子を示している。
【００１１】
ここでタブというのは、表示画面１４００における表示部の１つであり、帳簿やカードのへりに付ける見出し用のつまみを模して、切り替え可能なシートの種類を一覧表示したもののことである。この場合、新しい患者の検査を開始するたびに、例えば、一番右に新たなタブが追加されていく。また、過去の患者の画像を読み出してタブに追加すると、例えば、図１５に示す表示画面１５００のように、一番右にタブ１５０１に追加される。図１５に示す例は、図１４に示すように鈴木花子の検査中に、過去検査リストから鈴木花子の過去画像を選択して読み出したものである。過去画像の参照が終って再度、鈴木花子の検査を行うためには、例えば、左から２番目の鈴木花子のタブ１４０２を押下して撮影を行う。
【００１２】
しかしながらこの場合、鈴木花子のタブ１４０２以外の山田太郎のタブ１４０１及び田中次郎のタブ１４０３も押下できるため、間違えて選択してしまい、改めて正しい患者のタブを選択し直す手間が発生するという課題もあった。
【００１３】
本発明は上述した課題に鑑みてなされたものであり、複数の被写体の撮影を行う場合に、撮影を行うべき被写体と当該被写体の撮影に係る参照画像とを対応付けて、操作性を向上させた画面表示を行えるようにすることを目的とする。さらに、操作者に、操作の間違いを生じさせないようにすることを他の目的とする。
【課題を解決するための手段】
【００１４】
本発明は、上述した課題を解決するために、撮影装置を用いて撮影された複数の被写体における撮影画像の表示制御を行う画像表示制御装置であって、前記撮影装置から撮影画像を取り込む処理を行う取り込み処理手段と、前記被写体ごとに、前記取り込み処理手段によって取り込んだ当該被写体の撮影画像を含む検査情報および当該検査情報を選択するためのものであって当該被写体の識別情報が付された選択部を表示する制御を行う表示制御手段と、画像保持手段に保持されている過去画像の中から、前記選択部が選択された被写体の撮影に係る過去画像を参照画像として読み出す読み出し手段とを有し、前記表示制御手段は、前記読み出し手段によって読み出される参照画像を含む参照画像情報および当該参照画像情報を選択するためのものであって前記選択部が選択された被写体の識別情報が付された参照画像選択部を、選択された前記選択部に隣接して表示することを特徴とする画像表示制御装置等を提供する。
【００１５】
また、本発明は、上述した課題を解決するために、撮影装置を用いて撮影された複数の被写体における撮影画像の表示制御を行う画像表示制御装置であって、前記撮影装置から撮影画像を取り込む処理を行う取り込み処理手段と、前記被写体ごとに、前記取り込み処理手段によって取り込んだ当該被写体の撮影画像を含む検査情報および当該検査情報を選択するためのものであって当該被写体の識別情報が付された選択部を表示する制御を行う表示制御手段と、画像保持手段に保持されている過去画像の中から、前記選択部が選択された被写体の撮影に係る過去画像を参照画像として読み出す読み出し手段とを有し、前記表示制御手段は、前記読み出し手段によって読み出される参照画像を含む参照画像情報および当該参照画像情報を選択するためのものであって前記選択部が選択された被写体の識別情報が付された参照画像選択部を表示する制御を行い、前記選択された選択部とは異なる選択部の選択を不能とすることを特徴とする画像表示制御装置等を提供する。
【００１６】
さらに、本発明は、上述した課題を解決するために、撮影装置を用いて撮影された複数の被写体における撮影画像の表示制御を行う画像表示制御装置であって、前記撮影装置から撮影画像を取り込む処理を行う取り込み処理手段と、前記被写体ごとに、前記取り込み処理手段によって取り込んだ当該被写体の撮影画像を含む検査情報および当該検査情報を選択するためのものであって当該被写体の識別情報が付された選択部を表示する制御を行う表示制御手段と、画像保持手段に保持されている過去画像の中から、前記選択部が選択された被写体の撮影に係る過去画像を参照画像として読み出す読み出し手段とを有し、前記表示制御手段は、前記読み出し手段で読み出した参照画像を含む参照画像情報および当該参照画像情報を選択するためのものであって前記選択部が選択された被写体の識別情報が付された参照画像選択部を、選択された前記選択部に隣接して表示するとともに、前記選択された選択部とは異なる選択部の選択を不能とすることを特徴とする画像表示制御装置等を提供する。
【発明の効果】
【００１７】
本発明によれば、複数の被写体の撮影を行う場合に、撮影を行うべき被写体と当該被写体の撮影に係る参照画像とを対応付けて、操作性を向上させた画面表示を行うことができる。さらに、本発明によれば、操作者に、操作の間違いを生じさせないようにすることが可能となる。
【発明を実施するための最良の形態】
【００１８】
以下に、本発明を実施するための最良の形態について、添付の図面を参照して詳細に説明する。
【００１９】
（第１の実施形態）
図１は、本発明の第１の実施形態に係るＸ線画像撮影システム１０００の概略構成の一例を示す模式図である。
図１に示すＸ線画像撮影システム１０００は、Ｘ線発生装置１００と、撮影装置２００と、Ｘ線画像表示制御装置３００と、ネットワーク４００を有して構成されている。
【００２０】
Ｘ線発生装置１００は、Ｘ線管球１０１と、Ｘ線制御部１０２と、操作部１０３を有して構成されている。
【００２１】
Ｘ線管球１０１は、Ｘ線１０１ａを発生するものであり、当該Ｘ線管球１０１と撮影装置２００との間に、被写体である患者２０００が存在する場合には、患者２０００にＸ線１０１ａを照射（曝射）する。Ｘ線制御部１０２は、Ｘ線管球１０１から発生させるＸ線１０１ａを制御するものである。具体的に、Ｘ線制御部１０２は、操作部１０３或いはＸ線画像表示制御装置３００から送られてきた、管電流や管電圧、照射時間等のＸ線撮影条件に応じて、Ｘ線管球１０１に高電圧をかけてＸ線１０１ａを発生させる。操作部１０３は、Ｘ線制御部１０２に対してＸ線撮影条件などを操作入力するための操作卓である。
【００２２】
撮影装置２００には、Ｘ線管球１０１から照射（曝射）され、患者２０００を透過したＸ線（１０１ａ）を検出して、被写体である患者２０００に係るＸ線画像を得るためのＸ線検出器２０１が設けられている。このＸ線検出器２０１は、入射したＸ線を光に変換するシンチレーターと、当該シンチレーターにより変換された光の強さに応じた電気信号（画像信号）を発生する固体撮像素子を備えて構成されている。この固体撮像素子で発生した電気信号（画像信号）により、Ｘ線画像が得られる。さらに、撮影装置２００には、不図示であるが、グリッドと、Ｘ線検出器２０１で得られたＸ線画像をディジタル信号として出力するためのＡ／Ｄ変換器が設けられている。
【００２３】
撮影装置２００に入射したＸ線は、まず、被写体である患者２０００で発生した散乱Ｘ線がグリッドで除去され、グリッドを透過したＸ線がシンチレーターで光に変換される。そして、固体撮像素子において、シンチレーターにより変換された光の強さに応じた電気信号（画像信号）が発生する。さらに、Ａ／Ｄ変換器で処理を行うことによって、ディジタル信号からなるＸ線画像（撮影画像）が得られる。
【００２４】
Ｘ線画像表示制御装置３００は、撮影装置２００を用いて撮影された複数の被写体（患者）における撮影画像の表示制御を行うものであり、大きく分けると、画像処理系と、検査管理系（表示制御処理系）の２つの処理系がある。
【００２５】
画像処理系は、画像取り込み処理部３０１、画像と患者・画像情報結合部３０２、画像処理部３０３、及び、画像転送部３０４を有して構成されている。
【００２６】
画像取り込み処理部３０１は、撮影装置２００からディジタルＸ線画像（撮像画像）を取り込んで、ゲイン補正やシェーディング補正などの各種補正処理を行って、診断画像の基になる原画像を生成する。画像と患者・画像情報結合部３０２は、画像取り込み処理部３０１で生成された原画像と、その原画像における患者２０００及び画像情報との関連付けを行う。画像処理部３０３は、原画像に対して諧調処理や鮮鋭化処理、ダイナミックレンジ圧縮処理などの各種画像処理を施して診断画像を生成する。画像転送部３０４は、画像処理部３０３で生成された診断画像を、ネットワーク４００を介して外部装置に転送したり、或いは、過去画像保持部３１１に転送したりする。
【００２７】
検査管理系は、タブ・患者対応テーブル保持部３０５、タブ表示管理部３０６、検査情報管理部３０７、患者切替部３０８、保留データ保持部３０９、参照画像読み出し部３１０、過去画像保持部３１１、及び、操作表示部３１２を有して構成されている。
【００２８】
検査情報管理部３０７は、患者の氏名、患者ＩＤ、患者の生年月日、患者の性別などの患者情報や、撮影部位、撮影条件、画像処理パラメータなどの画像情報等からなる検査情報を管理するものである。検査情報管理部３０７は、患者２０００の検査開始時（撮影開始時）に、患者情報をまとめた患者情報オブジェクトを生成し、また、撮影部位が確定した時に、画像情報をまとめた画像情報オブジェクトを生成し、画像と患者・画像情報結合部３０２へ各情報を渡す。また、検査情報管理部３０７は、撮影後、Ｘ線制御部１０２からＸ線撮影条件が送られたり、画像確認において、画像処理パラメータが変更されたりした場合などに、これらの情報を画像情報オブジェクトに反映させる。また、検査情報管理部３０７は、検査（撮影）が終了して診断画像の転送の完了時、操作者が参照画像を閉じた時は、該当する患者２０００の患者情報オブジェクトと画像情報オブジェクトを削除する。
【００２９】
患者切替部３０８は、現在の検査対象の患者を一旦保留にして、別の患者の検査を開始する際に患者２０００の切替処理を行うものである。また、保留データ保持部３０９は、保留にしている患者の診断画像とその患者情報・画像情報を保存しておく保存領域である。患者切替部３０８は、保留状態の患者に切り替える時に、検査対象の患者の画像とその患者情報・画像情報を保留データ保持部３０９に保持するともに、検査を再開する患者の画像とその患者情報・画像情報を保留データ保持部３０９から読み出す。そして、患者切替部３０８は、読み出した情報等を検査情報管理部３０７へ渡す。患者切替部３０８は、新規の患者の検査（撮影）を始める場合には、検査対象の患者の画像とその患者情報・画像情報を保留データ保持部３０９に保持するともに、検査情報管理部３０７へ新規の患者情報オブジェクトの生成を依頼する。
【００３０】
タブ表示管理部３０６は、検査情報管理部３０７や参照画像読み出し部３１０による、患者情報オブジェクトの新規生成、削除、患者の切り替わり、或いは参照画像の読み出しに応じて、タブ・患者対応テーブル保持部３０５のタブ・患者対応テーブルを変更する。
さらに、タブ表示管理部３０６は、検査情報管理部３０７や参照画像読み出し部３１０による、患者情報オブジェクトの新規生成、削除、患者の切り替わり、或いは参照画像の呼び出しに応じて、操作表示部３１２の表示を変更する。タブ・患者対応テーブル保持部３０５に保持されているタブ・患者対応テーブルは、タブと患者との対応をとるためのテーブルであり、タブ表示管理部３０６により更新される。
【００３１】
参照画像読み出し部３１０は、過去画像保持部３１１から、例えば操作表示部３１２に表示するための過去画像を参照画像として読み出すものであり、読み出した参照画像をタブ表示管理部３０６に送る。過去画像保持部３１１は、画像取り込み処理部３０１で取り込んだ撮影画像であって過去に撮影された過去画像等を保持するものである。
【００３２】
操作表示部３１２は、Ｘ線発生装置１００及び撮影装置２００の操作や、撮影したＸ線画像に対する画像処理の指示、撮影画像、参照画像、メッセージや各装置の状態を示す情報等の表示を行うためのモニターで構成されている。例えば、操作表示部３１２は、液晶パネル、タッチセンサ及びマウスを有して構成されている。この操作表示部３１２には、ＧＵＩ（グラフィカルユーザインターフェース）画面が表示される。
【００３３】
なお、図１に示す例では、過去画像保持部３１１及び操作表示部３１２を、Ｘ線画像表示制御装置３００の内部に構成する形態について示しているが、例えば、Ｘ線画像表示制御装置３００の外部に構成する形態であってもよい。
【００３４】
図２は、図１に示すタブ表示管理部３０６の内部構成の一例を示すブロック図である。
図２に示すように、タブ表示管理部３０６は、タブ生成部３０６１、タブ切替部３０６２、タブ削除部３０６３、タブ・患者対応テーブル更新部３０６４、及び、タブ表示制御部３０６５を有して構成されている。
【００３５】
タブ生成部３０６１は、新規タブの追加処理を行って新規タブの生成を行うものである。具体的に、タブ生成部３０６１は、図１に示す検査情報管理部３０７、参照画像読み出し部３１０から患者２０００のタブの生成依頼があったときに、タブ・患者対応テーブル更新部３０６４及びタブ表示制御部３０６５に対してタブの追加の依頼を出す。
【００３６】
タブ切替部３０６２は、タブを切り替えたときに、タブ・患者対応テーブル更新部３０６４及びタブ表示制御部３０６５に対してタブの変更の依頼を出す。タブ削除部３０６３は、タブの削除を行うときに、タブ・患者対応テーブル更新部３０６４及びタブ表示制御部３０６５に対してタブの削除の依頼を出す。
【００３７】
タブ・患者対応テーブル更新部３０６４は、タブ生成部３０６１、タブ切替部３０６２、タブ削除部３０６３からの依頼に応じて、タブ・患者対応テーブル保持部３０５に保持されているタブ・患者対応テーブルを更新する。タブ表示制御部３０６５は、タブ・患者対応テーブル保持部３０５に保持されているタブ・患者対応テーブルに基づいて、操作表示部３１２に表示されている表示画面を変更する表示制御を行う。
【００３８】
図３は、図１及び図２に示す操作表示部３１２に表示された表示画面の一例を示す模式図である。図３には、検査対象の患者２０００が鈴木花子である場合に表示される検査情報を表示する画面の一例が示されている。
【００３９】
表示画面には、メッセージ・状態表示部３０、患者タブ３１、撮影オーダー３２、画像表示領域３３、患者情報表示領域３４、新規患者作成ボタン３５、参照画像読み出しボタン３６、各種の画像処理変更ボタン３７、撮影終了ボタン３８で構成されている。また、画像表示領域３３の左側には、撮影部位および撮影条件などの撮影に関する情報を表示する表示領域が設けられている。
【００４０】
メッセージ・状態表示部３０は、操作者に対するメーセージや、Ｘ線画像撮影システム１０００の状態に係る情報が表示されるようになっている。患者タブ３１は、検査対象（撮影対象）の患者を切り替えて別の患者の検査（撮影）を行うときに切り替えられた別の患者の検査情報を表示するために使用される。図３に示す表示画面では、患者タブ３１として、撮影を行う対象である患者の識別情報として患者名が付された患者タブ（選択部）３１ａ〜３１ｃが設けられている。
【００４１】
撮影オーダー３２は、部位（胸部正面、腹部正面、腹部側面等）に関する情報が撮影順に表示されている。なお、操作者が撮影する部位を指定することも可能となっている。また、撮影オーダー３２には、撮影された画像（診断画像）が表示されるようになっている。画像表示領域３３には、その撮影画像等が表示される。患者情報表示領域３４には、患者情報（図３に示す例では、鈴木花子に係る患者情報として、患者名，患者ＩＤ，生年月日，撮影日）が表示される。
【００４２】
新規患者作成ボタン３５は、新しい患者の検査（撮影）を始めるときに使用される。参照画像読み出しボタン３６は、参照画像を読み出すときに使用される。また、各種の画像処理変更ボタン３７は、諧調変換や強調度合い、ダイナミックレンジ圧縮など各種の画像処理を変更するときに使用される。撮影終了ボタン３８は、検査対象（撮影対象）の患者の撮影を終了するときに使用される。
【００４３】
図３に示す表示画面では、患者名が鈴木花子である患者タブ３１ｂが選択された状態を示しており、当該患者の検査情報３９−１が表示されている。
【００４４】
図４は、図１及び図２に示す操作表示部３１２に表示された表示画面の一例を示し、Ｘ線の照射（曝射）を行って得られた患者２０００の撮影画像を画像表示領域３３に表示した際の模式図である。図４に示す例では、図３に示す状態から、患者２０００である鈴木花子の胸部正面の撮影画像が、撮影オーダー３２ａの表示領域および画像表示領域３３に表示されている。
【００４５】
このように、表示画面には、撮影対象の患者ごとに、当該患者の撮影画像を含む検査情報３９−１、及び、当該検査情報を選択するためのものであって当該患者の識別情報が付された患者タブ（３１ａ〜３１ｃ）が表示される。この検査情報３９−１は、対応する患者の撮影（検査）を遂行するために用いられるものである。
【００４６】
図５は、図１及び図２に示す操作表示部３１２に表示された表示画面の一例を示し、参照画像読み出しボタン３６の選択により参照画像を読み出して患者タブ３１に参照画像タブを追加表示した際の模式図である。ここで、図３と同じ符号は、同じ内容を示している。図５に示す例では、撮影対象の患者２０００である鈴木花子に係る参照画像を含む参照画像情報３９−２が、参照画像タブ（参照画像選択部）３１ｄに関連付けられて表示されている。この際、参照画像タブ３１ｄは、参照画像情報３９−２を選択するためのものであって、図３に示す選択された患者タブ３１ｂに示される患者（鈴木花子）の識別情報が付されたものである。
【００４７】
図６は、本発明の第１の実施形態で使用する患者情報の患者ＩＤと患者名との対応関係を示す模式図である。
図６に示す例では、患者ＩＤが００００１に患者名の山田太郎が対応し、患者ＩＤが００１００に患者名の鈴木花子が対応し、患者ＩＤが００００２に患者名の田中次郎が対応するようになっている。
【００４８】
図７は、図１及び図２に示すタブ・患者対応テーブル保持部３０５に保持されるタブ・患者対応テーブルの一例を示す模式図である。
図７に示すタブ・患者対応テーブルにおいて、タブＩＤは、図３等に示す患者タブ３１における各タブの左から順に昇順の番号が振られている。患者ＩＤは、患者２０００を識別する患者ＩＤを意味しており、図５に示す患者ＩＤに対応するものである。カレントタブフラグは、患者タブ３１における各タブのうちの選択されているタブに関してフラグ（１）をたてるものである。カレント検査フラグは、検査対象（撮影対象）の患者のタブに関してフラグ（１）をたてるものである。参照画像フラグは、読み出された参照画像がタブに関連付けて表示されているときに、該当するタブ（該当する患者）に関してフラグ（１）をたてるものである。図７では、図４に示す患者タブ３１の左から２番目の鈴木花子の患者タブ３１ｂが選択されているので、タブＩＤ００２のカレントタブフラグとカレント検査フラグにそれぞれ１がたっている。
【００４９】
図８は、図１及び図２に示すタブ・患者対応テーブル保持部３０５に保持されるタブ・患者対応テーブルにおいて、参照画像を表示した際の一例を示す模式図である。この図８に示すタブ・患者対応テーブルは、例えば、図５に示す表示画面の状態に対応する。
図５に示す表示画面では、鈴木花子の参照画像情報３９−２が表示されているので、図８のタブＩＤが００２と００３のカレント検査フラグに１がたっている。さらに、鈴木花子の参照画像タブ（３１ｄ）を示すタブＩＤ００３では、カレントタブフラグと参照画像フラグに１がたっている。
【００５０】
操作者である放射線技師や医師は、操作表示部３１２上から、患者情報を入力し、また、撮影方法を決定する。患者情報は、図３に示す新規患者作成ボタン３５を押すことにより呼び出される患者入力画面から入力する。あるいは、最近では、入力業務の効率化や誤入力防止という観点から、不図示の磁気カードやバーコードを用いて入力したり、ネットワーク４００を介して病院内情報システム（ＨＩＳ）や放射線情報システム（ＲＩＳ）から入力したりすることもできる。
【００５１】
入力された新規患者に対応する患者タブが新たに追加されるとともに、その患者情報が患者情報表示領域３４に表示される。また、患者切り替えタブ３１では、検査対象の患者を切り替えることができる。例えば、図３に示す例では、山田太郎と鈴木花子と田中次郎に関する検査（撮影）が終了しておらず、かつ、鈴木花子の患者タブ３１ｂが選択状態になっているので、検査対象は鈴木花子であり、保留中が山田太郎と田中次郎ということになる。また、患者情報が入力されると、図１の検査情報管理部３０７は、患者氏名、患者ＩＤ、性別、生年月日などの患者情報をまとめた患者情報オブジェクトを生成する。
【００５２】
また、撮影方法の決定については、撮影部位と撮影方向の指定が必要である。ここでは、撮影部位と撮影方向が１つのボタンで設定できるものとしている。この際、撮影方法を設定するために、不図示の撮影方法設定ウインドウを呼び出して、所望の撮影方法を選択する。例えば、胸部ＰＡの撮影をする場合、撮影方法設定ウインドウ（不図示）の「胸部ＰＡ」と示された撮影方法選択ボタンを押下する。ここで、胸部が撮影部位を示し、ＰＡが撮影方向を示している。撮影方法が選択されると、検査情報管理部３０７は、プリセットされている撮影条件と画像処理パラメータなどの諸々のパラメータが設定されるとともに、それらの情報をまとめた画像情報オブジェクトを生成して、患者情報オブジェクトと関連付ける。
【００５３】
また、ネットワーク４００を介して、撮影するオーダーが入力される場合もある。図３に示す鈴木花子の例では、「胸部側面」、「胸部正面」、「腹部正面」、「腹部側面」という順でオーダーが入力された場合を示しており、１番目の胸部側面の撮影が完了し、胸部正面の撮影を始める状態となっている。ここで、撮影する撮影画像と過去画像との比較読影をしやすくするため、撮影条件や画像処理パラメータを過去の撮影時となるべく同じにして撮影を行うことがよく行われている。また、初めての撮影で過去に撮影した過去画像データがない場合は、その部位のお手本となる参考画像データで用いられた撮影条件や画像処理パラメータと同様の条件での撮影を行う。
【００５４】
そして、操作者は、撮影条件や画像処理パラメータを調べるために参照画像読み出しボタン３６を選択する。この際、参照画像読み出し部３１０は、同じ患者の同じ部位の過去画像や同じ部位のお手本となる参考画像（即ち、当該患者の撮影に係る過去画像）を、過去画像保持部３１１から参照画像として読み出す。更に、最近では、ネットワーク４００を介して他のモダリティーで検査した画像を容易に取得できるので、これらの画像を参照画像として読み出してもよい。
【００５５】
図９は、本発明の第１の実施形態に係るＸ線画像表示制御装置３００によるＸ線画像表示制御方法の処理手順の一例を示すフローチャートである。
【００５６】
まず、図９のフローチャートの処理を行う前段階として、例えば、図４に示す表示画面表示までの処理が行われているものとする。即ち、検査対象の複数の患者情報が操作表示部３１２あるいはネットワークを介して入力される。そして、図２のタブ表示制御部３０６５は、患者ごとに、当該患者の撮影画像を含む検査情報（３９−１）及び当該検査情報を選択するための患者タブを、操作表示部３１２に表示する制御を行う（第１の表示制御ステップ）。
【００５７】
この状態で図９に示すフローチャートの処理が開始される。
まず、ステップＳ１０１において、操作者により図４に示す参照画像読み出しボタン３６が押されると、図１の参照画像読み出し部３１０は、これを検知する。
【００５８】
ステップＳ１０２において、図１の参照画像読み出し部３１０は、複数の患者のうち、今回の検査対象の患者ＩＤ、撮影部位及び撮影方向を検索キーとして、過去画像のデータベースである過去画像保持部３１１から、参照画像を読み出す画像読み出し処理を行う。即ち、図１の参照画像読み出し部３１０は、患者タブが選択されている患者（図４に示す例では、鈴木花子）の撮影に係る過去画像を、過去画像保持部３１１から参照画像として読み出す。
【００５９】
続いて、ステップＳ１０３において、図１のタブ表示管理部３０６は、カレント検査（現在の検査）の対象の患者に対応する参照画像タブが既に表示されているか否かを判断する。
【００６０】
ステップＳ１０３の判断の結果、今回の検査対象の患者に対応する参照画像タブが表示されていない（存在しない）場合には、ステップＳ１０４に進む。ステップＳ１０４に進むと、図１のタブ表示管理部３０６（図２のタブ生成部３０６１）は、参照画像読み出し部３１０からの参照画像表示用の新規タブの生成依頼に基づき、新規に参照画像タブを作成する。
【００６１】
続いて、ステップＳ１０５において、タブ表示管理部３０６は、タブ・患者対応テーブル保持部３０５のタブ・患者対応テーブルにおいて、今回の検査対象の患者タブの右隣に、ステップＳ１０４で作成した参照画像表示用の新規タブが表示されるように変更する。
【００６２】
このステップＳ１０５の処理について、以下に説明する。
まず、ステップＳ１０４の処理が終了すると、図２のタブ生成部３０６１は、タブ・患者対応テーブル更新部３０６４に対して、参照画像表示用の新規タブの追加依頼を出す。図２のタブ・患者対応テーブル更新部３０６４では、図７に示すタブ・患者対応テーブルに新規のタブＩＤ００４を追加するとともに、カレントタブフラグが立っているタブＩＤ００２の次のタブＩＤ００３に、参照画像表示用のタブを挿入する。この際、参照画像表示用のタブを挿入する前のタブＩＤ００３以下のタブは、順次、１つずつタブＩＤの番号が繰り上がる。また、タブＩＤ００３に挿入された鈴木花子の参照画像タブが選択された状態になるので、タブＩＤ００３のカレントタブフラグがたち、タブＩＤ００２のカレントタブフラグがおりる。その結果、タブ・患者対応テーブル保持部３０５に保持されているタブ・患者対応テーブルの内容は、図７に示すものから図８に示すものとなる。
【００６３】
続いて、ステップＳ１０６において、図２のタブ表示制御部３０６５は、図８に示すタブ・患者対応テーブルに基づいて、操作表示部３１２に表示される表示画面の患者タブ３１の表示を変更する。具体的に、タブ表示制御部３０６５は、図４に示す表示画面から、図５に示す表示画面のように患者タブ３１の表示を変更する。即ち、タブ表示制御部３０６５は、操作表示部３１２の表示画面に、参照画像タブ３１ｄを追加表示するとともに、当該参照画像タブ３１ｄに示される患者の参照画像を含む参照画像情報３９−２を表示する制御を行う（第２の表示制御ステップ）。この際、本実施形態では、タブ表示制御部３０６５は、参照画像タブ３１ｄを、図４の状態において選択された患者タブ３１ｂに隣接して表示する。
【００６４】
また、図５に示す例では、参照画像タブ３１ｄには、患者の識別情報である患者名と、参照画像であることを示す参照画像という文字が表示されている。この際、参照画像タブ３１ｄには、患者名の代わりに他の患者識別情報を用いて表示してもよいし、また、参照画像という文字の代わりに他の参照画像を示す情報を用いて表示してもよい。
【００６５】
一方、ステップＳ１０３の判断の結果、カレント検査に関する該当する参照画像タブが既に表示されている（存在する）場合には、ステップＳ１０７に進む。ステップＳ１０７に進むと、図１のタブ表示管理部３０６は、タブ・患者対応テーブルにおいて該当する参照画像タブにカレントタブフラグをたてて、選択状態とする。そして、この参照画像タブに対応する参照画像を表示する。
【００６６】
そして、ステップＳ１０６或いはＳ１０７の処理が終了すると、図９に示すフローチャートの処理が終了する。
【００６７】
なお、ステップＳ１０２において、患者ＩＤ、撮影部位、撮影方向を検索キーとして過去画像保持部３１１から参照画像を読み出した結果、複数の検査が該当した場合、そのうちの１つを選択する検査選択処理を行う。その際、最新の検査に対応する画像を参照画像として選択するようにする。なお、図１の参照画像読み出し部３１０は、検査選択手段で選択された最新の検査の画像を参照画像として読み出してもよいし、また、リストを表示して操作者に選択させ、当該選択されたものを参照画像として読み出すようにしてもよい。また、ステップＳ１０２において、患者ＩＤのみを検索キーとして、他のモダリティーの画像を参照画像として読み出して、その後、表示するようにしても有効である。
【００６８】
図５に示す表示画面では、検査対象の患者のタブとその患者に係る参照画像タブとが隣接して表示されるため、一度、参照画像を読み出してしまえば、操作性よく患者のタブとその患者に係る参照画像タブとの切り替えがいつでも容易にできる。
【００６９】
この際、図５に示す患者タブ３１で患者の切り替えがなされると、図２のタブ切替部３０６２は、タブ・患者対応テーブル更新部３０６４にタブ切替依頼を出す。そして、図２のタブ・患者対応テーブル更新部３０６４は、タブ・患者対応テーブル保持部３０５のタブ・患者対応テーブルにおいて、図８のタブＩＤ００３でたてられていたカレントタブフラグをタブＩＤ００２に移して、当該タブ・患者対応テーブルを更新する。
【００７０】
次いで、図２のタブ表示制御部３０６５は、タブ・患者対応テーブル更新部３０６４で更新されたタブ・患者対応テーブルに基づいて、操作表示部３１２に表示されている表示画面を変更する表示制御を行う。
【００７１】
操作者である放射線技師や医師は、参照画像タブ３１ｄを選択することで参照画像情報３９−２である参照画像及びその撮影条件と画像処理パラメータ等を確認することができる。これによって今回の検査における撮影条件、画像処理パラメータの設定を容易に行うことができる。
【００７２】
操作者は、患者２０００を図１に示すように立たせる。そして、不図示の昇降部上下ペダルを踏んで、患者２０００を載置する昇降部を上下させることにより、患者２０００が撮影装置２００に対して適切な位置になるようにポジショニングを行う。例えば、「胸部ＰＡ」の撮影では、撮影装置２００の上端と患者２０００の肩とが同じ位置になるように調整するのが一般的である。また、Ｘ線管球１０１を前後に移動させることによって、患者２０００とＸ線管球１０１との距離を変更したり、患者２０００の対象部位以外にＸ線１０１ａが照射されないように照射野絞りを調整したりする。
【００７３】
以上のように撮影準備が整うと、図１の画像読み取り処理部３０１は、Ｘ線検出器２０１の固体撮像素子に対して駆動制御信号を用いて電圧を加える処理を行う。これにより、Ｘ線検出器２０１の固体撮像素子において、患者２０００を透過したＸ線入力がいつ行われてもよい状態となる。また、設定された各種のパラメータ（撮影、画像処理、補正処理、ジェネレータ設定などのパラメータ）や変更されたパラメータは、Ｘ線画像表示制御装置３００から、その内部の各構成部や撮影装置２００、Ｘ線制御部１０２へ転送される。このようにして、Ｘ線画像撮影システム１０００では、指定されたパラメータでの撮影可能な状態となる。
【００７４】
次に、操作者は、操作表示部３１２の近傍に据え付けられている、曝射ボタンを操作する。この曝射ボタンは、例えば操作部１０３に設けられている。この曝射ボタンは、Ｘ線管球１０１でＸ線１０１ａを発生させるトリガとなるものであり、操作者が曝射ボタンを押下することで曝射信号が発生する。
【００７５】
この際、曝射ボタンの押下により発生した曝射信号は、画像読み取り処理部３０１に一旦供給される。これを受けた画像読み取り処理部３０１は、Ｘ線検出器２０１の固体撮像素子がＸ線管球１０１からのＸ線１０１ａを受けて画像化できる状態となっているか否かを、固体撮像素子から発生する駆動通知信号の状態で確認する。そして、固体撮像素子がＸ線管球１０１からのＸ線１０１ａを受けて画像化できる状態となっている場合に、例えば画像読み取り処理部３０１は、曝射許可信号を、操作部１０３の曝射ボタンに対して発生させる。この曝射許可信号は、曝射ボタンをオンにして、曝射ボタンから発生した曝射信号をＸ線制御部１０２に供給させる。なお、曝射信号は、曝射ボタンのセカンドスイッチを押下したときに発生するものとする。
【００７６】
そして、図１のＸ線制御部１０２は、Ｘ線管球１０１に対して曝射信号を送る。これにより、Ｘ線管球１０１からＸ線１０１ａが発生する。この時のＸ線１０１ａの照射条件（曝射条件）は、撮影方法ごとに設定された撮影条件である。Ｘ線制御部１０２は、照射条件で設定された照射時間で規定された時間だけＸ線１０１ａを患者２０００に照射（曝射）する制御を行う。
【００７７】
そして、Ｘ線管球１０１から照射（曝射）されたＸ線１０１ａは、不図示の照射野絞りで絞られて、患者２０００及び不図示のグリッドを透過して、Ｘ線検出器２０１に入射する。Ｘ線検出器２０１では、まず、シンチレーターにおいて入射したＸ線が光に変換されて、固体撮像素子に患者２０００の透過画像が結像される。そして、固体撮像素子において、光電変換が行われ、シンチレーターで変換された光の強さに応じた画像信号が発生する。そして、固体撮像素子から出力された画像信号は、Ａ／Ｄ変換器においてディジタル化され、ディジタル信号からなるＸ線画像が画像読み取り処理部３０１に出力される。
【００７８】
図１の画像読み取り処理部３０１に読み取られたＸ線画像（原画像）は、所定の処理が施された後、画像と患者・画像情報結合部３０２によって生成された患者情報オブジェクト及び画像情報オブジェクトと関連付けられる。さらに、Ｘ線画像は、画像処理部３０３において、各種の補正処理や画像処理が施される。まず、画像処理部３０３では、センサを構成する固体撮像素子の光電変換素子間のばらつきの補正や光電変換素子の経時的変化の補正、散乱線補正、グリッド補正等の画像補正処理を行う。そして、画像処理部３０３では、上述した画像補正処理を施したＸ線画像に対して、着目部位の抽出や照射野の抽出、及び、Ｘ線の素抜け部分の抽出を行う解析が施される。例えば、「胸部正面」のＸ線画像であれば、肺野の領域を抽出する。そして、画像処理部３０３では、抽出された照射野領域データに基づいて、Ｘ線画像を所望の大きさに切り出すとともに、所望の濃度特性曲線で変換して、所望の階調のＸ線画像（診断画像）を生成する。
【００７９】
そして、画像処理部３０３で生成されたＸ線画像は、操作表示部３１２の画像表示領域３３に撮影画像として、例えば図４のように表示される。そして、操作者は、撮影画像を見て、被写体である患者２０００がぶれていないか、粒状性は適性レベルにあるか、患者２０００の姿勢が正しいか等を判断し、さらにコントラスト、濃度が適正であるか確認する。この際、操作者は、画像処理パラメータが適切かどうか等を、参照画像を読み出して比較することで、確認をとることが行われる。
【００８０】
撮影前に、参照画像が読み出されて、操作表示部３１２に参照画像タブ３１ｄが表示されている場合には、その参照画像タブ３１ｄを選択することで、参照画像情報３９−２を開くことができ、容易に参照画像の確認が行える。この際、図２のタブ切替部３０６２が、タブ切替依頼をタブ・患者対応テーブル更新部３０６４へ送り、タブ・患者対応テーブル更新部３０６４が、図８に示すタブ・患者対応テーブルのカレントタブフラグを切り替えることで、図５に示すような表示が行われる。このようにして、参照画像を表示するための参照画像タブ３１ｄを検査対象の患者タブ３１ｂに隣接して表示するようにする。
【００８１】
また、撮影前に、参照画像が読み出されていない場合には、参照画像読み出しボタン３６を押下して、参照画像を読み出す。この際の処理手順は、上述した図９に示す場合と同様である。
【００８２】
全ての撮影が終了し、画像の確認が完了すると、操作者は、図４の撮影終了ボタン３８を押下する。これにより、Ｘ線画像表示制御装置３００では、撮影の終了処理を行うとともに、画像転送部３０４からネットワーク４００を介して各種の画像を外部装置（例えば、画像サーバーやプリンター）に転送する。また、この際、図１の検査情報管理部３０７は、検査（撮影）が完了した患者の患者情報オブジェクトと画像情報オブジェクトの削除を行う。さらに、図２のタブ削除部３０６３は、タブ・患者対応テーブル更新部３０６４にタブ削除依頼を行い、これにより、タブ・患者対応テーブルが更新され、この更新に伴ってタブ表示制御部３０６５が操作表示部３１２の表示画面の表示を更新する。即ち、タブ表示制御部３０６５は、検査対象であった患者の撮影が終了した場合に、当該患者における検査情報及び患者タブ、並びに、当該患者における参照画像情報及び参照画像タブを、操作表示部３１２から削除する表示を行う。
【００８３】
上述した例では、参照画像タブ（３１ｄ）について、対応する患者ごとに患者タブの隣に配置して表示するものであった。これにより、複数の患者の参照画像を読み出した場合でも、それぞれ、患者タブとその参照画像タブとが隣り合わせになるため、対応付けがしやすくなるという効果がある。
【００８４】
また、患者タブと参照画像タブとの対応を更に明確に対応付けるために、参照画像タブ（及び参照画像情報）を操作表示部３１２に１つしか表示しない形態も効果的であり、この形態も本発明の範囲に含まれる。この形態について、図１０を用いて以下に説明する。
【００８５】
図１０は、本発明の第１の実施形態に係るＸ線画像表示制御装置３００によるＸ線画像表示制御方法の処理手順における変形例を示すフローチャートである。この図１０に示すフローチャートは、上述したように、参照画像タブを１つしか表示しない場合の処理を示している。なお、図１０のフローチャートにおいて、図９に示す処理と同様の処理については、同じステップ番号を付しており、その詳細な説明は省略する。
【００８６】
図１０に示すフローチャートでは、まず、図９に示すステップＳ１０１及びＳ１０２の処理を経る。
【００８７】
続いて、ステップＳ１１１において、図１のタブ表示管理部３０６は、参照画像タブが存在するか否かを判断する。
【００８８】
ステップＳ１１１の判断の結果、参照画像タブが存在しない場合には、ステップＳ１０４に進む。そして、その後、図９に示すステップＳ１０４〜Ｓ１０６の処理が行われる。
【００８９】
一方、ステップＳ１１１の判断の結果、参照画像タブが存在する場合には、ステップＳ１１２に進む。ステップＳ１１２に進むと、図１のタブ表示管理部３０６は、カレント検査に関する該当する参照画像タブが存在するか否かを判断する。
【００９０】
ステップＳ１１２の判断の結果、カレント検査に関する該当する参照画像タブが存在しない場合には、ステップＳ１１３に進む。ステップＳ１１３に進むと、図１のタブ表示管理部３０６は、カレント検査タブの隣に参照画像タブが表示されるように、タブ・患者対応テーブル保持部３０５のタブ・患者対応テーブルを書き換えて変更する。
【００９１】
ステップＳ１１３が終了した場合、或いは、ステップＳ１１２でカレント検査に関する該当する参照画像タブが存在すると判断された場合には、ステップＳ１０７に進む。ステップＳ１０７に進むと、図１のタブ表示管理部３０６は、タブ・患者対応テーブルにおいて該当する参照画像タブにカレントタブフラグをたてて、存在する参照画像タブにおける参照画像情報に参照画像を表示する。
【００９２】
そして、ステップＳ１０６或いはＳ１０７の処理が終了すると、図１０に示すフローチャートの処理が終了する。
【００９３】
この図１０に示す処理を行うことで、カレント検査に対する参照画像タブ（及び参照画像情報）が１つしか存在しないため、患者タブと参照画像タブとの対応を更に明確にすることが可能となる。
【００９４】
以上のように、検査対象（撮影対象）の患者２０００に関する参照画像タブを検査対象の患者のタブに隣接して表示することにより、参照画像と患者との対応関係が把握しやすくなる。さらに、検査中に患者タブと参照画像タブとの切替操作を容易に行うことができる。また、参照画像タブを開いてその参照画像や撮影条件、画像処理パラメータを確認した後で、患者の撮影に戻るときに、参照画像タブの隣に患者タブが位置しているので、操作しやすいとともに、誤った患者タブの選択を低減できる効果がある。
【００９５】
また、検査対象（撮影対象）の患者の患者タブとその患者における参照画像タブとの関連付けをより強調させた表示を行うために、参照画像タブを患者タブの隣に配置するだけでなく、タブ自体の大きさを変更することも考えられる。
【００９６】
図１１は、図１及び図２に示す操作表示部３１２に表示された表示画面の一例を示し、参照画像読み出しボタン３６により参照画像を読み出して患者タブ３１に参照画像タブを追加表示した際の模式図である。
【００９７】
図１１に示す例では、検査対象の患者（鈴木花子）の患者タブとその患者における参照画像タブ３１ｄが他の患者のタブよりも大きな形状で表示されている。これにより、検査対象の患者の患者タブとその患者における参照画像タブとの関連付けがより強調させた表示となっている。この場合、図２のタブ表示制御部３０６５は、図８に示すタブ・患者対応テーブルのカレント検査フラグを参照して、対象となるタブの大きさを変更した表示制御を行うことになる。この際、図１１に示す例では、対象となるタブの大きさを変更するようにしているが、さらに、図２のタブ表示制御部３０６５において、対象となるタブの色や形状を、他の患者のタブと異なる表示を行う形態も適用できる。このようにして、本実施形態では、検査対象の患者とその参照画像との関連付けを強調するようにしている。
【００９８】
なお、本実施形態では、参照画像タブ３１ｄを表示する際に、参照画像タブ３１ｄを検査対象（撮影対象）の患者の患者タブの直後（右側）に配置するものであったが、例えば患者タブの直前（左側）に配置する形態であっても同じ効果が得られ、適用可能である。
【００９９】
第１の実施形態によれば、複数の被写体の撮影を行う場合に、撮影を行うべき被写体と当該被写体の撮影に係る参照画像とを対応付けて、操作性を向上させた画面表示を行うことができる。
【０１００】
（第２の実施形態）
本発明の第２の実施形態に係るＸ線画像撮影システムの概略構成は、図１に示す第１の実施形態に係るＸ線画像撮影システム１０００と同様である。また、第２の実施形態に係る図１に示すタブ表示管理部３０６の内部構成についても、図２に示す第１の実施形態に係るタブ表示管理部３０６の内部構成と同様である。
【０１０１】
第２の実施形態では、検査対象の患者のタブとその患者の参照画像タブとの関連付けを更に強めて、参照画像を参照して撮影モードに戻るときの患者タブ３１の操作ミスによる、患者の撮り間違いを無くすことを目的としている。
【０１０２】
図１２は、図１及び図２に示す操作表示部３１２に表示された表示画面の一例を示し、参照画像読み出しボタン３６により参照画像を読み出して患者タブ３１に参照画像タブを追加表示した際の模式図である。
【０１０３】
図１２に示すように、操作者により参照画像読み出しボタン３６が押下されると、参照画像タブ３１ｄを患者タブの隣に表示することになるが、本実施形態では、同時に、現在の検査対象でない患者タブを操作できないようにする。具体的に、図１２では、鈴木花子の検査が行われている時に、参照画像読み出しボタン３６が選択され、参照画像タブ３１ｄが隣に表示された状況を示している。この時、現在の検査対象でない患者である、山田太郎と田中次郎は、タブ表示されているが、そのタブを選択できない状態になっている。この際、図１２では、現在の検査対象である鈴木花子のタブに対して、現在の検査対象でない山田太郎と田中次郎のタブの色を変えて（色を濃くして）、現在の検査対象でない山田太郎と田中次郎のタブが選択できない状態となっていることを報知している。したがって、操作者は、撮影モードに切り替えるときに、鈴木花子の患者タブしか選択できず、患者の撮り間違いを無くすことができる。
【０１０４】
図１３は、本発明の第２の実施形態に係るＸ線画像表示制御装置３００によるＸ線画像表示制御方法の処理手順の一例を示すフローチャートである。なお、図１３のフローチャートにおいて、図９に示す処理と同様の処理については、同じステップ番号を付している。
【０１０５】
第２の実施形態では、図２に示すタブ表示制御部３０６５が、タブの表示をする時に、カレント検査タブ以外の患者タブを操作できないようにする点を特徴としている。
【０１０６】
まず、図１３のフローチャートの処理を行う前段階として、第１の実施形態と同様に、例えば、図４に示す表示画面の表示までの処理が行われているものとする。即ち、撮影装置２００を用いて患者ごとに撮影を行い、図１の画像取り込み処理部３０１は、撮影装置２００からＸ線画像の撮影画像を取り込む画像取り込み処理を行う。そして、図２のタブ表示制御部３０６５は、患者ごとに、当該患者の撮影画像を含む検査情報（３９−１）及び当該検査情報を選択するための患者タブを、操作表示部３１２に表示する制御を行う（第１の表示制御ステップ）。
【０１０７】
この状態で図１３に示すフローチャートの処理が開始される。
まず、ステップＳ１０１において、操作者により図４に示す参照画像読み出しボタン３６が押されると、図１の参照画像読み出し部３１０は、これを検知する。
【０１０８】
続いて、ステップＳ１０２において、図１の参照画像読み出し部３１０は、検査対象の患者ＩＤ、撮影部位及び撮影方向を検索キーとして、過去画像保持部３１１から、参照画像を読み出す画像読み出し処理を行う。即ち、図１の参照画像読み出し部３１０は、患者タブが選択されている患者（図４に示す例では、鈴木花子）の撮影に係る過去画像を、過去画像保持部３１１から参照画像として読み出す。
【０１０９】
続いて、ステップＳ１０３において、図１のタブ表示管理部３０６は、カレント検査の患者に対応する参照画像タブが既に表示されているか否かを判断する。
【０１１０】
ステップＳ１０３の判断の結果、カレント検査に関する該当する参照画像タブが表示されていない（存在しない）場合には、ステップＳ１０４に進む。ステップＳ１０４に進むと、第１の実施形態と同様に、図１のタブ表示管理部３０６（図２のタブ生成部３０６１）は、参照画像読み出し部３１０からの参照画像表示用の新規タブの生成依頼に基づき、新規に参照画像タブを作成する。
【０１１１】
続いて、ステップＳ１０５において、図１のタブ表示管理部３０６は、タブ・患者対応テーブル保持部３０５のタブ・患者対応テーブルにおいて、カレント検査タブの隣に、ステップＳ１０４で作成した参照画像表示用の新規タブが表示されるように変更する。
【０１１２】
具体的に、ステップＳ１０５では、まず、ステップＳ１０４の処理が終了すると、図２のタブ生成部３０６１は、タブ・患者対応テーブル更新部３０６４に対して、参照画像表示用の新規タブの追加依頼を出す。図２のタブ・患者対応テーブル更新部３０６４では、図７に示すタブ・患者対応テーブルに新規のタブＩＤ００４を追加するとともに、カレントタブフラグが立っているタブＩＤ００２の次のタブＩＤ００３に、参照画像表示用のタブを挿入する。この際、参照画像表示用のタブを挿入する前のタブＩＤ００３以下のタブは、順次、１つずつタブＩＤの番号が繰り上がる。また、タブＩＤ００３に挿入された鈴木花子の参照画像タブが選択された状態になるので、タブＩＤ００３のカレントタブフラグがたち、タブＩＤ００２のカレントタブフラグがおりる。その結果、タブ・患者対応テーブル保持部３０５に保持されているタブ・患者対応テーブルの内容は、図７に示すものから図８に示すものとなる。
【０１１３】
続いて、ステップＳ１２１において、図１のタブ表示管理部３０６（図２のタブ表示制御部３０６５）は、図８に示すタブ・患者対応テーブルのカレント検査フラグがたっていない患者の患者タブを切替操作ができないように、操作無効化処理を行う。即ち、ここでは、患者タブが選択されて検査（撮影）を行っている患者を除く患者の患者タブの選択を不能とする処理が行なわれる。
【０１１４】
続いて、ステップＳ１０６において、図２のタブ表示制御部３０６５は、図８に示すタブ・患者対応テーブルに基づいて、操作表示部３１２に表示される表示画面の患者タブ３１の表示を変更する。具体的に、タブ表示制御部３０６５は、図４に示す表示画面から、図１２に示す表示画面のように患者タブ３１の表示を変更する。即ち、タブ表示制御部３０６５は、操作表示部３１２の表示画面に、参照画像タブ３１ｄを追加表示するとともに、当該参照画像タブ３１ｄに示される患者の参照画像を含む参照画像情報３９−２を表示する制御を行う（第２の表示制御ステップ）。この際、本実施形態では、タブ表示制御部３０６５は、参照画像タブ３１ｄを、図４の状態において選択された患者タブ３１ｂに隣接して表示するとともに、検査フラグがたっていない患者タブ（図１２に示す３１ａ及び３１ｃ）の選択を不能とする制御を行う。
【０１１５】
また、図１２に示す例では、参照画像タブ３１ｄには、患者の識別情報である患者名と、参照画像であることを示す参照画像という文字が表示されている。この際、参照画像タブ３１ｄには、患者名の代わりに他の患者識別情報を用いて表示してもよいし、また、参照画像という文字の代わりに他の参照画像を示す情報を用いて表示してもよい。
【０１１６】
一方、ステップＳ１０３の判断の結果、カレント検査に関する該当する参照画像タブが存在する場合には、ステップＳ１０７に進む。ステップＳ１０７に進むと、図１のタブ表示管理部３０６は、タブ・患者対応テーブルにおいて該当する参照画像タブにカレントタブフラグをたてて、存在する参照画像タブにおける参照画像情報に参照画像を表示する。
【０１１７】
そして、ステップＳ１０６或いはＳ１０７の処理が終了すると、図１２に示すフローチャートの処理が終了する。
【０１１８】
また、図１２の表示画面の状態において、撮影モードに切り替えるために操作者が鈴木花子の患者タブ３１ｂを選択すると、タブ表示制御部３０６５は、タブ・患者対応テーブルを参照して、全ての患者タブの操作を可能にして、患者タブの表示をし直す。即ち、この場合、ステップＳ１２１で選択不能とされていた患者タブ（図１２に示す３１ａ及び３１ｃ）が、選択可能とされる。
【０１１９】
なお、本実施形態においては、ステップＳ１２１に示すタブの選択不能処理をタブ表示制御部３０６５が行う形態を示しているが、例えば、図２のタブ・患者対応テーブル更新部３０６４で行う形態であっても適用可能である。この場合、上述した選択可能とする処理も、タブ・患者対応テーブル更新部３０６４において行われることになる。
【０１２０】
このように、参照画像を開いた時に、検査対象の患者以外の患者タブの操作が不能に無効化されて表示されるので、参照画像表示モードから、撮影モードに戻るときの患者タブ３１の操作ミスによる、患者の撮り間違いを無くすことが可能になる。
【０１２１】
即ち、第２の実施形態によれば、第１の実施形態における効果に加えて、操作者に、操作の間違いを生じさせないようにすることが可能となる。
【０１２２】
前述した本発明の各実施形態に係るＸ線画像表示制御装置３００によるＸ線画像表示制御方法を示す図９、図１０及び図１３の各ステップは、コンピュータＣＰＵがＲＡＭやＲＯＭなどに記憶されたプログラムを実行することによって実現できる。このプログラム及び当該プログラムを記録したコンピュータ読み取り可能な記憶媒体は本発明に含まれる。
【０１２３】
具体的に、前記プログラムは、例えばＣＤ−ＲＯＭのような記憶媒体に記録し、或いは各種伝送媒体を介し、コンピュータに提供される。前記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体を用いることができる。また、この際の通信媒体としては、光ファイバ等の有線回線や無線回線などが挙げられる。
【０１２４】
また、本発明は、コンピュータが供給されたプログラムを実行することにより本発明の各実施形態に係るＸ線画像表示制御装置３００の機能が実現される態様に限られない。そのプログラムがコンピュータにおいて稼働しているＯＳ（オペレーティングシステム）或いは他のアプリケーションソフト等と共同して本発明の各実施形態に係るＸ線画像表示制御装置３００の機能が実現される場合も、かかるプログラムは本発明に含まれる。また、供給されたプログラムの処理の全て、或いは一部がコンピュータの機能拡張ボードや機能拡張ユニットにより行われて本発明の各実施形態に係るＸ線画像表示制御装置３００の機能が実現される場合も、かかるプログラムは本発明に含まれる。
【０１２５】
また、前述した本実施形態は、何れも本発明を実施するにあたっての具体化の例を示したものに過ぎず、これらによって本発明の技術的範囲が限定的に解釈されてはならないものである。即ち、本発明はその技術的思想、またはその主要な特徴から逸脱することなく、様々な形で実施することができる。
【図面の簡単な説明】
【０１２６】
【図１】本発明の第１の実施形態に係るＸ線画像撮影システムの概略構成の一例を示す模式図である。
【図２】図１に示すタブ表示管理部の内部構成の一例を示すブロック図である。
【図３】図１及び図２に示す操作表示部に表示された表示画面の一例を示す模式図である。
【図４】図１及び図２に示す操作表示部に表示された表示画面の一例を示し、Ｘ線の照射（曝射）を行って撮影した患者の撮影画像を画像表示領域に表示した際の模式図である。
【図５】図１及び図２に示す操作表示部に表示された表示画面の一例を示し、参照画像読み出しボタンにより参照画像を読み出して患者タブに参照画像タブを追加表示した際の模式図である。
【図６】本発明の第１の実施形態で使用する患者情報の患者ＩＤと患者名との対応関係を示す模式図である。
【図７】図１及び図２に示すタブ・患者対応テーブル保持部に保持されるタブ・患者対応テーブルの一例を示す模式図である。
【図８】図１及び図２に示すタブ・患者対応テーブル保持部に保持されるタブ・患者対応テーブルにおいて、参照画像を表示した際の一例を示す模式図である。
【図９】本発明の第１の実施形態に係るＸ線画像表示制御装置によるＸ線画像表示制御方法の処理手順の一例を示すフローチャートである。
【図１０】本発明の第１の実施形態に係るＸ線画像表示制御装置によるＸ線画像表示制御方法の処理手順における変形例を示すフローチャートである。
【図１１】図１及び図２に示す操作表示部に表示された表示画面の一例を示し、参照画像読み出しボタンにより参照画像を読み出して患者タブに参照画像タブを追加表示した際の模式図である。
【図１２】図１及び図２に示す操作表示部に表示された表示画面の一例を示し、参照画像読み出しボタンにより参照画像を読み出して患者タブに参照画像タブを追加表示した際の模式図である。
【図１３】本発明の第２の実施形態に係るＸ線画像表示制御装置によるＸ線画像表示制御方法の処理手順の一例を示すフローチャートである。
【図１４】一般的な表示画面の一例を示す模式図である。
【図１５】一般的な表示画面の一例を示す模式図である。
【符号の説明】
【０１２７】
１００  Ｘ線発生装置
１０１  Ｘ線管球
１０１ａ  Ｘ線
１０２  Ｘ線制御部
１０３  操作部
２００  撮影装置
２０１  Ｘ線検出器
３００  Ｘ線画像表示制御装置
３０１  画像取り込み処理部
３０２  画像と患者・画像情報結合部
３０３  画像処理部
３０４  画像転送部
３０５  タブ・患者対応テーブル保持部
３０６  タブ表示管理部
３０７  検査情報管理部
３０８  患者切替部
３０９  保留データ保持部
３１０  参照画像読み出し部
３１１  過去画像保持部
３１２  操作表示部
４００  ネットワーク
１０００  Ｘ線画像撮影システム
２０００  患者（被写体）
３０６１  タブ生成部
３０６２  タブ切替部
３０６３  タブ削除部
３０６４  タブ・患者対応テーブル更新部
３０６５  タブ表示制御部
【図１】
2010022653.tif 000003
【図２】
2010022653.tif 000004
【図３】
2010022653.tif 000005
【図４】
2010022653.tif 000006
【図５】
2010022653.tif 000007
【図６】
2010022653.tif 000008
【図７】
2010022653.tif 000009
【図８】
2010022653.tif 000010
【図９】
2010022653.tif 000011
【図１０】
2010022653.tif 000012
【図１１】
2010022653.tif 000013
【図１２】
2010022653.tif 000014
【図１３】
2010022653.tif 000015
【図１４】
2010022653.tif 000016
【図１５】
2010022653.tif 000017